【手続補正書】
【提出日】平成29年8月24日(2017.8.24)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンにおいて、
情報を設定可能な情報設定手段と、
前記情報を消去する情報消去手段と、
前記情報が設定されている場合に該情報に応じた制御を行う制御手段と、
前記スロットマシンへの電力供給が停止されてからの電断時間を計時する電断時間計時手段と、
前記電断時間計時手段により計時された電断時間が基準時間以上か否かを判定する電断時間判定手段と、
を備え、
前記情報消去手段は、
特定消去条件が成立したときに前記情報を消去する第１情報消去手段と、
前記電断時間判定手段により電断時間が基準時間以上と判定され、前記情報が設定されている場合に、前記特定消去条件が成立するのを待たずに前記情報を消去する第２情報消去手段と、
を含む
ことを特徴とするスロットマシン。
【請求項２】
各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンにおいて、
情報を設定可能な情報設定手段と、
前記情報を消去する情報消去手段と、
前記情報が設定されている場合に該情報に応じた制御を行う制御手段と、
前記スロットマシンへの電力供給が開始されてからの給電時間を計時する給電時間計時手段と、
前記スロットマシンへの電力供給の停止以後に、前記給電時間計時手段により計時された電力供給が停止する前の給電時間が基準時間以上か否かを判定する給電時間判定手段と、
を備え、
前記情報消去手段は、
特定消去条件が成立したときに前記情報を消去する第１情報消去手段と、
前記給電時間判定手段により給電時間が基準時間以上と判定され、前記情報が設定されている場合に、前記特定消去条件が成立するのを待たずに前記情報を消去する第２情報消去手段と、
を含む
ことを特徴とするスロットマシン。
【請求項３】
各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンにおいて、
情報を設定可能な情報設定手段と、
前記情報を消去する情報消去手段と、
前記情報が設定されている場合に該情報に応じた制御を行う制御手段と、
時刻を特定可能な時刻特定手段と、
前記時刻特定手段により特定された時刻が基準時刻以後であるか否かを判定する時刻判定手段と、
を備え、
前記情報消去手段は、
特定消去条件が成立したときに前記情報を消去する第１情報消去手段と、
前記時刻判定手段により特定した時刻が基準時刻以後と判定され、前記情報が設定されている場合に、前記特定消去条件が成立するのを待たずに前記情報を消去する第２情報消去手段と、
を含む
ことを特徴とするスロットマシン。
【手続補正２】
【補正対象書類名】明細書
【補正対象項目名】０００３
【補正方法】変更
【補正の内容】
【０００３】
この種のスロットマシンとして、例えば、通常遊技状態でナビ対象役が当選した場合には、ナビ演出に従った変則押し（推奨手順以外の手順）でストップスイッチが操作されることで、昇格リプレイが入賞し、遊技者にとって有利な遊技状態である有利ＲＴに移行するスロットマシンが提案されている。このようなスロットマシンでは、ナビ演出が行われていないときにストップスイッチが変則押しで操作された場合には、一定数のゲームが行われるまでの期間にわたり遊技者に所定の不利益（ペナルティ）を生じさせるようになっている（例えば、特許文献１参照）。
【手続補正３】
【補正対象書類名】明細書
【補正対象項目名】０００５
【補正方法】変更
【補正の内容】
【０００５】
しかしながら、特許文献１に記載のスロットマシンでは、例えば、営業終了間際にペナルティが付与された場合には、翌営業日にまでペナルティが持ち越され、推奨手順以外で停止操作を行った遊技者とは別の遊技者にペナルティが発生してしまうこととなるが、このように前日の情報が持ち越されることに伴う問題を解消するには、遊技店の店員等が一定数のゲームを行ったり、スロットマシンの状態を初期化するための操作をわざわざ行う等、非常に手間のかかる作業を要するという問題がある。
【手続補正４】
【補正対象書類名】明細書
【補正対象項目名】０００６
【補正方法】変更
【補正の内容】
【０００６】
本発明は、このような問題点に着目してなされたものであり、手間のかかる作業を要することなく、営業を開始することができるスロットマシンを提供することを目的とする。
【手続補正５】
【補正対象書類名】明細書
【補正対象項目名】０００７
【補正方法】変更
【補正の内容】
【０００７】
上記課題を解決するために、本発明の手段１のスロットマシンは、
各々が識別可能な複数種類の識別情報を変動表示可能な可変表示部（リール２Ｌ、２Ｃ、２Ｒ）を備え、
前記可変表示部（リール２Ｌ、２Ｃ、２Ｒ）を変動表示した後、前記可変表示部（リール２Ｌ、２Ｃ、２Ｒ）の変動表示を停止することで表示結果を導出し、該表示結果に応じて入賞が発生可能なスロットマシン（スロットマシン１）において、
情報（ペナルティフラグ）を設定可能な情報設定手段（ペナルティフラグセット処理）と、
前記情報（ペナルティフラグ）を消去する情報消去手段（ペナルティフラグクリア処理）と、
前記情報（ペナルティフラグ）が設定されている場合に該情報に応じた制御を行う制御手段（サブ制御部９１）と、
前記スロットマシン（スロットマシン１）への電力供給が停止されてからの電断時間を計時する電断時間計時手段（電断中時間計測回路９９）と、
前記電断時間計時手段（電断中時間計測回路９９）により計時された電断時間が基準時間（電断基準時間）以上か否かを判定する電断時間判定手段（サブ制御部９１）と、
を備え、
前記情報消去手段は、
特定消去条件が成立したときに前記情報を消去する第１情報消去手段と、
前記電断時間判定手段により電断時間が基準時間（電断基準時間）以上と判定され、前記情報（ペナルティフラグ）が設定されている場合に、前記特定消去条件（ペナルティカウンタの値が「０」になったか否か）が成立するのを待たずに前記情報（ペナルティフラグ）を消去する第２情報消去手段と、
を含む
ことを特徴としている。
この特徴によれば、スロットマシンへの電力供給が停止したときに情報が設定されていても、電断時間が基準時間以上経過していれば、特定消去条件が成立するのを待たずに情報を消去するようになっており、翌日の営業開始前には情報を消去しているため、営業開始前に遊技店の店員によって情報を消去させるための作業を伴わずに、情報が消去された状態で営業を開始することが可能となる。
尚、電断時間判定手段は、電力供給の停止後、電力供給が開始する前に電断時間が基準時間以上か否かを判定する構成でも良いし、電力供給停止後、電力供給が開始したときに電断時間が基準時間以上か否かを判定する構成でも良い。
【手続補正６】
【補正対象書類名】明細書
【補正対象項目名】０００８
【補正方法】変更
【補正の内容】
【０００８】
本発明の手段２のスロットマシンは、
各々が識別可能な複数種類の識別情報を変動表示可能な可変表示部（リール２Ｌ、２Ｃ、２Ｒ）を備え、
前記可変表示部（リール２Ｌ、２Ｃ、２Ｒ）を変動表示した後、前記可変表示部（リール２Ｌ、２Ｃ、２Ｒ）の変動表示を停止することで表示結果を導出し、該表示結果に応じて入賞が発生可能なスロットマシン（スロットマシン１）において、
情報（ペナルティフラグ）を設定可能な情報設定手段（ペナルティフラグセット処理）と、
前記情報（ペナルティフラグ）を消去する情報消去手段（ペナルティフラグクリア処理）と、
前記情報（ペナルティフラグ）が設定されている場合に該情報に応じた制御を行う制御手段（サブ制御部９１）と、
前記スロットマシン（スロットマシン１）への電力供給が開始されてからの給電時間を計時する給電時間計時手段（給電中時間カウンタ）と、
前記スロットマシン（スロットマシン１）への電力供給の停止以後に、前記給電時間計時手段（給電中時間カウンタ）により計時された電力供給が停止する前の給電時間が基準時間（給電基準時間）以上か否かを判定する給電時間判定手段（サブ制御部９１）と、
を備え、
前記情報消去手段は、
特定消去条件が成立したときに前記情報を消去する第１情報消去手段と、
前記給電時間判定手段により給電時間が基準時間（給電基準時間）以上と判定され、前記情報（ペナルティフラグ）が設定されている場合に、前記特定消去条件（ペナルティカウンタの値が「０」になったか否か）が成立するのを待たずに前記情報（ペナルティフラグ）を消去する第２情報消去手段と、
を含む
ことを特徴としている。
この特徴によれば、スロットマシンへの電力供給が停止したときに情報が設定されていても、給電時間が基準時間以上経過していれば、電力供給の停止以後に、特定消去条件が成立するのを待たずに情報を消去するようになっており、翌日の営業開始前には情報を消去しているため、営業開始前に遊技店の店員によって情報を消去させるための作業を伴わずに、情報が消去された状態で営業を開始することが可能となる。
尚、給電時間判定手段は、電力供給が停止したときに給電時間が基準時間以上か否かを判定する構成でも良いし、電力供給が開始したときに電力供給が停止する前の給電時間が基準時間以上か否かを判定する構成でも良い。
【手続補正７】
【補正対象書類名】明細書
【補正対象項目名】０００９
【補正方法】変更
【補正の内容】
【０００９】
本発明の手段３のスロットマシンは、
各々が識別可能な複数種類の識別情報を変動表示可能な可変表示部（リール２Ｌ、２Ｃ、２Ｒ）を備え、
前記可変表示部（リール２Ｌ、２Ｃ、２Ｒ）を変動表示した後、前記可変表示部（リール２Ｌ、２Ｃ、２Ｒ）の変動表示を停止することで表示結果を導出し、該表示結果に応じて入賞が発生可能なスロットマシン（スロットマシン１）において、
情報（ペナルティフラグ）を設定可能な情報設定手段（ペナルティフラグセット処理）と、
前記情報（ペナルティフラグ）を消去する情報消去手段（ペナルティフラグクリア処理）と、
前記情報（ペナルティフラグ）が設定されている場合に該情報に応じた制御を行う制御手段（サブ制御部９１）と、
時刻を特定可能な時刻特定手段（時計装置９７）と、
前記時刻特定手段（時計装置９７）により特定された時刻が基準時刻（基準日時）以後であるか否かを判定する時刻判定手段（サブ制御部９１）と、
を備え、
前記情報消去手段は、
特定消去条件が成立したときに前記情報を消去する第１情報消去手段と、
前記時刻判定手段により特定した時刻が基準時刻（基準日時）以後と判定され、前記情報（ペナルティフラグ）が設定されている場合に、前記特定消去条件（ペナルティカウンタの値が「０」になったか否か）が成立するのを待たずに前記情報（ペナルティフラグ）を消去する第２情報消去手段と、
を含む
ことを特徴としている。
この特徴によれば、スロットマシンへの電力供給が停止したときに情報が設定されていても、日時特定手段から特定した時刻が基準時刻以後と判定されれば、特定消去条件が成立するのを待たずに情報を消去するようになっており、翌日の営業開始前には情報を消去しているため、営業開始前に遊技店の店員によって情報を消去させるための作業を伴わずに、情報が消去された状態で営業を開始することが可能となる。
尚、時刻判定手段は、電力供給の停止後、電力供給が開始する前に日時特定手段から特定した時刻が基準時刻以後か否かを判定する構成でも良いし、電力供給停止後、電力供給が開始したときに日時特定手段から特定した時刻が基準時刻以後か否かを判定する構成でも良い。
【手続補正８】
【補正対象書類名】明細書
【補正対象項目名】００１０
【補正方法】変更
【補正の内容】
【００１０】
本発明の手段４のスロットマシンは、手段１に記載のスロットマシンであって、
前記基準時間（電断基準時間）は、前記スロットマシン（スロットマシン１）の設置される遊技店の営業時間中において生じ得る電力供給の停止時間よりも長い時間である
ことを特徴としている。
この特徴によれば、営業時間中に生じ得る比較的短い時間の電力供給の停止時間により情報を消去してしまうことを防止できる。
【手続補正９】
【補正対象書類名】明細書
【補正対象項目名】００１１
【補正方法】変更
【補正の内容】
【００１１】
本発明の手段５のスロットマシンは、手段１または４に記載のスロットマシンであって、
前記電断時間計時手段（電断中時間計測回路９９）により計時された電断時間が基準時間（電断基準時間）以上となったときに、電断時間が基準時間（電断基準時間）を経過した旨を示す基準時間経過情報（電断時間経過フラグ）を記憶する基準時間経過情報記憶手段（電断中時間計測回路９９のフラグ格納部）を備え、
前記電断時間判定手段（サブ制御部９１）は、前記スロットマシンへ（スロットマシン１）の電力供給が開始されたときに、前記基準時間経過情報（電断時間経過フラグ）が記憶されているか否かに基づいて電断時間が基準時間（電断基準時間）以上か否かを判定する
ことを特徴としている。
この特徴によれば、スロットマシンへの電力供給が開始されたときに、電断時間経過情報に基づいて情報を消去させることが可能となり、電力供給が停止している間は、電断時間経過情報を記憶するのみで情報を消去させる制御をせずに済むため、電断中の制御を簡素にできる。
【手続補正１０】
【補正対象書類名】明細書
【補正対象項目名】００１２
【補正方法】変更
【補正の内容】
【００１２】
本発明の手段６のスロットマシンは、手段２に記載のスロットマシンであって、
前記基準時間（給電基準時間）は、前記スロットマシン（スロットマシン１）の設置される遊技店の営業時間である
ことを特徴としている。
この特徴によれば、営業時間中に一時的に電力供給が停止した場合に、情報を消去してしまうことを防止できる。
【手続補正１１】
【補正対象書類名】明細書
【補正対象項目名】００１３
【補正方法】変更
【補正の内容】
【００１３】
本発明の手段７のスロットマシンは、手段２または６に記載のスロットマシンであって、
前記給電時間計時手段（給電中時間カウンタ）により計時された給電時間が基準時間（給電基準時間）以上となったときに、給電時間が基準時間（給電基準時間）を経過した旨を示す基準時間経過情報（給電時間経過フラグ）を記憶する基準時間経過情報記憶手段（ＲＡＭ９１ｃ）を備え、
前記給電時間判定手段（サブ制御部９１）は、前記スロットマシンへの電力供給が開始されたときに、前記基準時間経過情報（給電時間経過フラグ）が記憶されているか否かに基づいて電力供給が停止する前の給電時間が基準時間（給電基準時間）以上か否かを判定する
ことを特徴としている。
この特徴によれば、スロットマシンへの電力供給が開始されたときに、給電時間経過情報に基づいて情報を消去させることが可能となり、電力供給の停止が検知された場合など動作時間に余裕のない状況において情報を消去させる制御をせずに済む。
【手続補正１２】
【補正対象書類名】明細書
【補正対象項目名】００１４
【補正方法】変更
【補正の内容】
【００１４】
本発明の手段８のスロットマシンは、手段２、６または７のいずれかに記載のスロットマシンであって、
前記給電時間判定手段（サブ制御部９１）は、前記スロットマシン（スロットマシン１）への電力供給の停止以後に、前記給電時間計時手段（給電中時間カウンタ）により計時された電力供給が停止する前の給電時間が第１の基準時間（給電基準時間）以上か否かを判定し、
前記スロットマシン（スロットマシン１）は、
前記スロットマシン（スロットマシン１）への電力供給が停止されてからの電断時間を計時する電断時間計時手段（電断中時間計測回路９９）と、
前記電断時間計時手段により計時された電断時間が第２の基準時間（電断基準時間）以上か否かを判定する電断時間判定手段（サブ制御部９１）と、
をさらに備え、
前記第２情報消去手段（起動処理（サブ））は、前記給電時間判定手段（サブ制御部９１）により給電時間が第１の基準時間（給電基準時間）以上と判定され、かつ前記電断時間判定手段（サブ制御部９１）により電断時間が第２の基準時間（電断基準時間）以上と判定され、前記情報（ペナルティフラグ）が設定されている場合に、前記特定消去条件（ペナルティカウンタの値が「０」になったか否か）が成立するのを待たずに前記情報（ペナルティフラグ）を消去する
ことを特徴としている。
この特徴によれば、給電時間が第１の基準時間以上経過し、かつ電断時間が第２の基準時間以上経過することで、特定消去条件が成立するのを待たずに情報を消去するようになっており、給電時間が第１の基準時間以上経過した後、一度電力供給が停止し、すぐに電力供給が開始した場合など、同じ営業日において情報を消去してしまうことを防止できる。
【手続補正１３】
【補正対象書類名】明細書
【補正対象項目名】００１５
【補正方法】変更
【補正の内容】
【００１５】
本発明の手段９のスロットマシンは、手段３に記載のスロットマシンであって、
前記基準時刻（基準日時の時刻）は、前記スロットマシン（スロットマシン１）の設置される遊技店の営業時間外の時刻である
ことを特徴としている。
この特徴によれば、営業時間中に一時的に電力供給が停止した場合に、情報を消去してしまうことを防止できる。
【手続補正１４】
【補正対象書類名】明細書
【補正対象項目名】００１６
【補正方法】変更
【補正の内容】
【００１６】
本発明の手段１０のスロットマシンは、手段３または９に記載のスロットマシンであって、
前記時刻特定手段（時計装置９７）により特定された時刻が基準時刻（基準日時）となったときに、基準時刻情報（基準日時到達フラグ）を記憶する基準時刻情報記憶手段（時計装置９７のフラグ格納部）を備え、
前記時刻判定手段（サブ制御部９１）は、前記スロットマシン（サブ制御部９１）への電力供給が開始されたときに、前記基準時刻情報（基準日時到達フラグ）が記憶されているか否かに基づいて基準時刻（基準日時）以後であるか否かを判定する
ことを特徴としている。
この特徴によれば、スロットマシンへの電力供給が開始されたときに、基準時刻情報に基づいて情報を消去させることが可能となり、電断されている間は、基準時刻情報を記憶するのみで情報を消去させる制御をせずに済むため、電断中の制御を簡素にできる。
【手続補正１５】
【補正対象書類名】明細書
【補正対象項目名】００１７
【補正方法】削除
【補正の内容】
【手続補正１６】
【補正対象書類名】明細書
【補正対象項目名】００１８
【補正方法】削除
【補正の内容】
【手続補正１７】
【補正対象書類名】明細書
【補正対象項目名】０１５５
【補正方法】変更
【補正の内容】
【０１５５】
後述する内部抽選においてＢＢまたはＲＢのうちいずれかに当選していても、ストップスイッチ８Ｌ、８Ｃ、８Ｒをこれらの役に入賞可能とする適正なタイミングで操作しなければ、これらの役に入賞することはない。ＢＢやＲＢを構成する図柄（「黒７」、「白７」、「網７」）は、各々、左リール２Ｌ、中リール２Ｃ、右リール２Ｒ各々において５コマ以内に配置されていない箇所があるためである。
【手続補正１８】
【補正対象書類名】明細書
【補正対象項目名】０３３３
【補正方法】変更
【補正の内容】
【０３３３】
抽選モードとは、前述したようにＡＴ抽選に適用するナビストック数の当選確率を示す。通常モードよりも高確率Ａモード、高確率Ａモードよりも高確率Ｂモードの方がより多くのナビストック数の獲得が期待できるようになっている。
【手続補正１９】
【補正対象書類名】明細書
【補正対象項目名】０３４０
【補正方法】変更
【補正の内容】
【０３４０】
また、高確率Ａモード、高確率Ｂモードに制御されている場合には、通常・ＲＴ０、１、２、４の通常リプレイの入賞時にモード転落抽選を行い、高確率Ａモードであり、通常・ＲＴ０、１、４であれば、通常リプレイ入賞時の約１／９の確率で通常モードに移行し、通常・ＲＴ２であれば、通常リプレイ入賞時の約１／６０の確率で通常モードに移行し、高確率Ｂモードであり、通常・ＲＴ０、１、４であれば、通常リプレイ入賞時の約１／３の確率で高確率Ａモードに移行し、通常・ＲＴ２であれば、通常リプレイ入賞時の約１／２０の確率で高確率Ａモードに移行する。
【手続補正２０】
【補正対象書類名】明細書
【補正対象項目名】０４３５
【補正方法】変更
【補正の内容】
【０４３５】
上記実施例１では、本発明を遊技用価値としてメダル並びにクレジットを用いて賭数が設定されるスロットマシンに適用した例について説明したが、遊技用価値として遊技球を用いて賭数を設定するスロットマシンや、遊技用価値としてクレジットのみを使用して賭数を設定する完全クレジット式のスロットマシンに適用しても良い。遊技球を遊技用価値として用いる場合は、例えば、メダル１枚分を遊技球５個分に対応させることができ、前記実施例で賭数として３を設定する場合は、１５個の遊技球を用いて賭数を設定するものに相当する。